【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
交流電流を整流して直流とする第１の整流回路と、前記第１の整流回路の出力側に接続されて前記第１の整流回路の出力を高周波交流に変換するインバータ回路と、前記インバータ回路の出力側に接続されて前記インバータ回路の出力を電圧変換して２次側コイルから出力する絶縁トランスと、前記２次側コイルに接続されて前記絶縁トランスの出力を整流して直流とする第２の整流回路と、前記第２の整流回路の出力側とワイヤを保持する溶接トーチとの間に接続されて前記第２の整流回路の出力を平滑して溶接トーチに与えるリアクトルと、前記リアクトルと前記溶接トーチの間に配置され、前記リアクトルが出力する電流を遮断する電流遮断機構と、から構成されるアーク溶接主回路と、
入力された指令を基に前記インバータ回路と前記電流遮断機構を制御する制御回路と、を備え、
アーク溶接の実行中に、前記ワイヤの先端がアーク状態から短絡状態に移行した時に、前記電流遮断機構によって前記リアクトルが出力する電流を一時遮断する消耗電極式アーク溶接装置であって、
前記制御回路は、前記電流遮断機構による電流遮断時間の長さＴＹを、短絡移行直前のアーク発生期間の長さＴＡを用いて次式により算出することを特徴とする消耗電極式アーク溶接装置。
ＴＹ ＝ ＴＡ×α ＋ β
（ここで、αはアーク期間ＴＡの比例係数であり、正の実数である。βは定数で、実数である。）
【請求項２】
算出された前記電流遮断時間の長さＴＹが予め定められた最大値を越えた場合は、前記ＴＹを前記最大値に制限し、
算出された前記電流遮断時間の長さＴＹが０未満となった場合は、前記ＴＹを０とすることを特徴とする請求項１記載の消耗電極式アーク溶接装置。
【請求項３】
前記最大値は、前記制御回路に入力された指令溶接電流値、指令溶接電圧値、ワイヤの材質、ワイヤの径、シールドガスの種類の少なくとも１つ以上をパラメータとして決定されることを特徴とする請求項２記載の消耗電極式アーク溶接装置。
【請求項４】
前記アーク期間ＴＡの比例係数αおよび定数βは、前記制御回路に入力された指令溶接電流値、指令溶接電圧値、ワイヤの材質、ワイヤの径、シールドガスの種類の少なくとも１つ以上をパラメータとして決定されることを特徴とする請求項１記載の消耗電極式アーク溶接装置。
【請求項５】
交流電流を整流して直流とする第１の整流回路と、前記第１の整流回路の出力側に接続されて前記第１の整流回路の出力を高周波交流に変換するインバータ回路と、前記インバータ回路の出力側に接続されて前記インバータ回路の出力を電圧変換して２次側コイルから出力する絶縁トランスと、前記２次側コイルに接続されて前記絶縁トランスの出力を整流して直流とする第２の整流回路と、前記第２の整流回路の出力側とワイヤを保持する溶接トーチとの間に接続されて前記第２の整流回路の出力を平滑して溶接トーチに与えるリアクトルと、前記リアクトルと前記溶接トーチの間に配置され、前記リアクトルが出力する電流を遮断する電流遮断機構と、から構成されるアーク溶接主回路と、
入力された指令を基に前記インバータ回路と前記電流遮断機構を制御する制御回路と、を備え、
アーク溶接の実行中に、前記ワイヤの先端がアーク状態から短絡状態に移行した時に、前記電流遮断機構によって前記リアクトルが出力する電流を一時遮断する消耗電極式アーク溶接装置であって、
前記制御回路は、入力された指令溶接電圧が大きくなるにつれ前記電流遮断機構による電流遮断時間を長くすることを特徴とする消耗電極式アーク溶接装置。
【請求項６】
交流電流を整流して直流とし、該直流を高周波交流に変換し、該高周波交流を低圧に電圧変換して、さらに整流して直流大電流とし、該直流大電流を平滑してワイヤを保持する溶接トーチに与えるとともに、前記溶接トーチに与えられる前記直流大電流を遮断する電流遮断機構を設け、
アーク溶接の実行中に、前記ワイヤの先端がアーク状態から短絡状態に移行した時に、前記電流遮断機構によって前記直流大電流を一時遮断する消耗電極式アーク溶接方法であって、
前記電流遮断機構による電流遮断時間の長さＴＹを、短絡移行直前のアーク発生期間の長さＴＡを用いて次式により算出することを特徴とする消耗電極式アーク溶接方法。
ＴＹ ＝ ＴＡ×α ＋ β 
（ここで、αはアーク期間ＴＡの比例係数であり、正の実数である。βは定数で、実数である。）
【請求項７】
交流電流を整流して直流とし、該直流を高周波交流に変換し、該高周波交流を低圧に電圧変換して、さらに整流して直流大電流とし、該直流大電流を平滑してワイヤを保持する溶接トーチに与えるとともに、前記溶接トーチに与えられる前記直流大電流を遮断する電流遮断機構を設け、
アーク溶接の実行中に、前記ワイヤの先端がアーク状態から短絡状態に移行した時に、前記電流遮断機構によって前記直流大電流を一時遮断する消耗電極式アーク溶接方法であって、
指令溶接電圧が大きくなるにつれ前記電流遮断機構による電流遮断時間を長くすることを特徴とする消耗電極式アーク溶接方法。
【手続補正２】
【補正対象書類名】明細書
【補正対象項目名】０００５
【補正方法】変更
【補正の内容】
【０００５】
上記問題を解決するため、請求項１記載の発明は、交流電流を整流して直流とする第１の整流回路と、前記第１の整流回路の出力側に接続されて前記第１の整流回路の出力を高周波交流に変換するインバータ回路と、前記インバータ回路の出力側に接続されて前記インバータ回路の出力を電圧変換して２次側コイルから出力する絶縁トランスと、前記２次側コイルに接続されて前記絶縁トランスの出力を整流して直流とする第２の整流回路と、前記第２の整流回路の出力側とワイヤを保持する溶接トーチとの間に接続されて前記第２の整流回路の出力を平滑して溶接トーチに与えるリアクトルと、前記リアクトルと前記溶接トーチの間に配置され、前記リアクトルが出力する電流を遮断する電流遮断機構と、から構成されるアーク溶接主回路と、入力された指令を基に前記インバータ回路と前記電流遮断機構を制御する制御回路と、を備え、アーク溶接の実行中に、前記ワイヤの先端がアーク状態から短絡状態に移行した時に、前記電流遮断機構によって前記リアクトルが出力する電流を一時遮断する消耗電極式アーク溶接装置であって、前記制御回路は、前記電流遮断機構による電流遮断時間の長さＴＹを、短絡移行直前のアーク発生期間の長さＴＡを用いて次式により算出することを特徴としている。
ＴＹ ＝ ＴＡ×α ＋ β （ここで、αはアーク期間ＴＡの比例係数であり、正の実数である。βは定数で、実数である。）
【手続補正３】
【補正対象書類名】明細書
【補正対象項目名】０００６
【補正方法】変更
【補正の内容】
【０００６】
請求項２記載の発明は、請求項１記載の消耗電極式アーク溶接装置において、算出された前記電流遮断時間の長さＴＹが予め定められた最大値を越えた場合は、前記ＴＹを前記最大値に制限し、算出された前記電流遮断時間の長さＴＹが０未満となった場合は、前記ＴＹを０とすることを特徴としている。
請求項３記載の発明は、請求項２記載の消耗電極式アーク溶接装置において、前記最大値は、前記制御回路に入力された指令溶接電流値、指令溶接電圧値、ワイヤの材質、ワイヤの径、シールドガスの種類の少なくとも１つ以上をパラメータとして決定されることを特徴としている。
請求項４記載の発明は、請求項１記載の消耗電極式アーク溶接装置において、前記アーク期間ＴＡの比例係数αおよび定数βは、前記制御回路に入力された指令溶接電流値、指令溶接電圧値、ワイヤの材質、ワイヤの径、シールドガスの種類の少なくとも１つ以上をパラメータとして決定されることを特徴としている。
請求項５記載の発明は、交流電流を整流して直流とする第１の整流回路と、前記第１の整流回路の出力側に接続されて前記第１の整流回路の出力を高周波交流に変換するインバータ回路と、前記インバータ回路の出力側に接続されて前記インバータ回路の出力を電圧変換して２次側コイルから出力する絶縁トランスと、前記２次側コイルに接続されて前記絶縁トランスの出力を整流して直流とする第２の整流回路と、前記第２の整流回路の出力側とワイヤを保持する溶接トーチとの間に接続されて前記第２の整流回路の出力を平滑して溶接トーチに与えるリアクトルと、前記リアクトルと前記溶接トーチの間に配置され、前記リアクトルが出力する電流を遮断する電流遮断機構と、から構成されるアーク溶接主回路と、入力された指令を基に前記インバータ回路と前記電流遮断機構を制御する制御回路と、を備え、アーク溶接の実行中に、前記ワイヤの先端がアーク状態から短絡状態に移行した時に、前記電流遮断機構によって前記リアクトルが出力する電流を一時遮断する消耗電極式アーク溶接装置であって、前記制御回路は、入力された指令溶接電圧が大きくなるにつれ前記電流遮断機構による電流遮断時間を長くすることを特徴としている。
請求項６記載の発明は、交流電流を整流して直流とし、該直流を高周波交流に変換し、該高周波交流を低圧に電圧変換して、さらに整流して直流大電流とし、該直流大電流を平滑してワイヤを保持する溶接トーチに与えるとともに、前記溶接トーチに与えられる前記直流大電流を遮断する電流遮断機構を設け、アーク溶接の実行中に、前記ワイヤの先端がアーク状態から短絡状態に移行した時に、前記電流遮断機構によって前記直流大電流を一時遮断する消耗電極式アーク溶接方法であって、前記電流遮断機構による電流遮断時間の長さＴＹを、短絡移行直前のアーク発生期間の長さＴＡを用いて次式により算出することを特徴としている。
ＴＹ ＝ ＴＡ×α ＋ β 
（ここで、αはアーク期間ＴＡの比例係数であり、正の実数である。βは定数で、実数である。）
請求項７記載の発明は、交流電流を整流して直流とし、該直流を高周波交流に変換し、該高周波交流を低圧に電圧変換して、さらに整流して直流大電流とし、該直流大電流を平滑してワイヤを保持する溶接トーチに与えるとともに、前記溶接トーチに与えられる前記直流大電流を遮断する電流遮断機構を設け、アーク溶接の実行中に、前記ワイヤの先端がアーク状態から短絡状態に移行した時に、前記電流遮断機構によって前記直流大電流を一時遮断する消耗電極式アーク溶接方法であって、指令溶接電圧が大きくなるにつれ前記電流遮断機構による電流遮断時間を長くすることを特徴としている。